(57)【要約】    【課題】飲料水を水素分子と抗酸化ミネラルを豊富に含む水素・ミネラル豊富水に簡単且つ効率的に変えることができるようにする。    【解決手段】マグネシウム粒の入った浸水性ケースを、レジンに水熱科学反応により抗酸化ミネラルを転写させた抗酸化力を持つプラスチック素材により構成し、このケース４に、飲料水１２と反応して水素ガスを発生するマグネシウム粒８を充填して水素豊富水生成器２を構成する。この水素豊富水生成器２を飲料水１２ともに容器１０に入れ、容器１０内で飲料水１２とケース４とマグネシウム粒８とを反応させて水素ガスを発生させるとともに抗酸化ミネラルを水に溶け込ませ、容器１０内の飲料水１２を抗酸化ミネラルと水素分子を豊富に含む水素豊富水に変える。【選択図】図１
2008259960.tif 000002
【特許請求の範囲】
【請求項１】
飲料水と内部に水が滲入可能なプラスチック素材からなるケースに収納したマグネシウム粒とを飲料水の入った容器内で反応させて水素ガスを発生させ飲料水を水素分子を豊富に含む水素豊富水に変えるようにした水素豊富水生成方法において、前記マグネシウム粒の入ったケースを、レジンに水熱科学反応により抗酸化ミネラルを転写させた抗酸化力を持つプラスチック素材により構成したことを特徴とする水素豊富水生成方法。
【請求項２】
前記飲料水が常温あるいは冷却水であることを特徴とする請求項１に記載の水素豊富水生成方法。
【請求項３】
飲料水用の容器に投入可能であり内部に水が滲入可能なケースと、該ケースの中空部に収納され飲料水と反応して水素ガスを発生するマグネシウム粒とを備え、前記ケースをレジンに水熱科学反応により抗酸化ミネラルを転写させた抗酸化力を持つプラスチック素材により構成したことを特徴とする水素豊富水生成器。
【発明の詳細な説明】
【技術分野】
【０００１】
本発明は、飲んだり皮膚に塗布することで体内の活性酸素の消去や皮膚の老化によるシミやシワの改善に有効な水素豊富水を生成する方法及び水素豊富水生成器に関する。
【背景技術】
【０００２】
水素を多量に含む水が癌その他の各種の病気の原因とされる活性酸素の消去に有効であるという学説が近年医学界において発表され、注目されている。このような水素を豊富に含む飲料水を生成する装置としては電気分解を利用したものが従来知られている。また、従来、マグネシウムについては次のように考えられている。「金属マグネシウムは室温では水に侵されないが、微粉末を水中で加熱すると、水と反応して水酸化マグネシウムと水素ガスが生成する。・・・」（例えば非特許文献１参照）あるいは、「マグネシウムＭｇ・・・は高温の水蒸気と反応し、水素を発生する・・・」（例えば非特許文献２参照）
また、飲料水と内部に水が滲入可能なセラミックからなるケースに収納したマグネシウム粒とを容器内で反応させて水素ガスを発生させ飲料水を水素を豊富に含む水素豊富水に変えるようにしたことを特徴とする水素豊富水生成方法が知られている（例えば特許文献１参照）。
【０００３】
また、抗酸化ミネラルを水熱科学反応を用いて配合したプラスチック素材が開発され、商標登録名「エンバランス」の名称で、各種の食品の鮮度保持や身体をリラックスさせる用途に利用されている。
【非特許文献１】桜井弘著「元素１１１の新知識」講談社出版８２頁
【非特許文献２】２００２年度教育セミナー  教育テレビ  ＮＨＫ高校講座  化学  日本放送協会・日本放送出版協会編  日本放送出版協会  ６４頁
【特許文献１】特開２００５−１６１２０９号公報
【発明の開示】
【発明が解決しようとする課題】
【０００４】
電気分解を利用した従来の水素豊富水生成装置は、電源を必要とし、しかも構造が複雑となってしまうため、コスト高となり、消費者に簡単且つ安価に水素豊富水を供給することができなかった。
また電気分解を利用せず、浸水性ケースに入れたマグネシウム粒を常温の水と反応させる水素豊富水生成器が市販されているが、この水素豊富水生成器は飲料水に水素ガスを溶存させ、この水素分子により体内の活性酸素を消去することにのみに特化し、飲料水に抗酸化ミネラルを含有させることについては考慮していない。
本発明は水素分子の他に抗酸化ミネラルを多く含む水素豊富水を生成する方法及び水素豊富水生成器を提供することを目的とするものである。
【課題を解決するための手段】
【０００５】
上記目的を達成するため本発明は、飲料水と内部に水が滲入可能なプラスチック素材からなるケースに収納したマグネシウム粒とを飲料水の入った容器内で反応させて水素ガスを発生させ飲料水を水素分子を豊富に含む水素豊富水に変えるようにした水素豊富水生成方法において、前記マグネシウム粒の入ったケースを、レジンに水熱科学反応により抗酸化ミネラルを転写させた抗酸化力を持つプラスチック素材により構成したものである。
また本発明は、前記飲料水が常温あるいは冷却水であることを特徴とする。
また本発明は、飲料水用の容器に投入可能であり内部に水が滲入可能なケースと、該ケースの中空部に収納され飲料水と反応して水素ガスを発生するマグネシウム粒とを備え、前記ケースをレジンに水熱科学反応により抗酸化ミネラルを転写させた抗酸化力を持つプラスチック素材により構成したものである。
【発明の効果】
【０００６】
本発明は通常の飲料水を抗酸化ミネラルと水素分子を豊富に含有する水に簡単且つ効率的に変えることができる。
【発明を実施するための最良の形態】
【０００７】
以下に本発明の実施の形態を添付した図面を参照して詳細に説明する。
図中、符号４は水素豊富水生成器２の、中空棒状のケースであり、スティックと称している。ケース４の外殻の横断面形状は正六角形に形成され、外殻には、中空の内部へ水が出入りできるように、多数の穴６が形成されている。ケース４は、プラスチックの原姿であるレジンに抗酸化効果を持つミネラルや酵素を「水・熱・圧力」を利用する水熱科学反応で反応させ、抗酸化ミネラルを転写して製造したものである。ケース４内には不織布などの滲水性の袋体６に入ったマグネシウム粒群からなるマグネシウム粒体８が所定量内置されている。
【０００８】
上記した構成において、図３に示すように、ケース４内にマグネシウム粒体８を充填した水素豊富水生成器２を、常温あるいは冷却した飲料水１２の入った容器１０内に投入する。水素豊富水生成器２投入後、１０分程度経過すると、容器１０内の飲料水１２は、ケース４内のマグネシウム粒体８と反応し、つぎの化学式によって水素ガスを発生する。
【０００９】
【化１】
2008259960.tif 000003
【００１０】
その結果、容器１内の常温あるいは冷却した水道水などの飲料水６は、浄化されると同時に水素を豊富に含んだ水となる。現在において、金属マグネシウムは、加熱すると水と反応して水素ガスが生成される、あるいはマグネシウムは、高温の水蒸気と反応し水素を発生するというのが化学界の定説とされている。しかしながら、簡易水素センサーを用いて、上記実施形態のマグネシウム粒の反応を検査したところマグネシウムは、常温（摂氏２５度前後）あるいは冷却した水（摂氏５度前後）とも容易に反応して、水酸化マグネシウムと水素ガスを生成するという新事実が認められた。
【００１１】
これにより、電気分解装置を用いることなく水素豊富水が確実且つ安価に作れるようになった。
上記マグネシウム粒の、水との反応による水素ガス発生現象とともに、ケース４の構成物質である抗酸化ミネラル配合プラスチック素材は、容器１０内の水素ガスが溶けている飲料水１２と反応し、抗酸化ミネラル配合プラスチック素材の抗酸化ミネラルが水に少しずつ溶け、この水素豊富水を抗酸化ミネラルを多量に含む活性化された飲料水に変化させる。図４のグラフは、九州大学大学院工学研究院化学工学部門で原水道水Ａと、本実施形態で使用する抗酸化ミネラル配合プラスチック材の入った水Ｂと、上記抗酸化ミネラル配合プラスチック材とマグネシウム粒体の両方入った水Ｃのミネラル成分を比較実験したデータを示している。
【００１２】
この実験によると、抗酸化ミネラル配合（転写）プラスチック素材のみが入っている水Ｂより、抗酸化ミネラル配合プラスチック材とマグネシウム粒体の両方が入っている水Ｃの方が主要ミネラル類の濃度がすべて高くなっていることが認められる。これは、抗酸化ミネラル配合プラスチック材の水中の成分とマグネシウム粒体の成分の形態構造上の相乗効果で元素濃度がプラスになる向きに原子転換が起きたものと考えられる。また、抗酸化ミネラル中のマグネシウムは、水中に溶存している炭酸ガスに内部発生ニュートリノが衝突し、電子ラジカル経由で増えたものと推察される。
【００１３】
このように、抗酸化ミネラルを配合したプラスチック素材を混入した水Ｂ，Ｃは、原水Ａに比し、水中のＭｇ（マグネシゥム）の量が増加していることが判明した。Ｍｇ（ミネラルとしてのマグネシゥム）は、カルシウムと同じように、人間の骨格中に多く存在し、カルシウムが吸収されるのを助ける働きがある。また血液中の糖分がエネルギーに変換される際に重要な役割を果たし、体内の酸とアルカリのバランス、体温の調節にも関与している。
【図面の簡単な説明】
【００１４】
【図１】本発明に係る水素豊富水生成器の断面説明図である。
【図２】本発明に係る水素豊富水生成器の外観図である。
【図３】本発明の全体説明図である。
【図４】実験データを示すグラフである。
【符号の説明】
【００１５】
２      水素豊富水生成器
４      ケース
６      穴
７      袋体
８      マグネシウム粒
１０    容器
１２    飲料水
【図１】
2008259960.tif 000004
【図２】
2008259960.tif 000005
【図３】
2008259960.tif 000006
【図４】
2008259960.tif 000007